(57)【要約】      （修正有）【課題】蒸気によって火傷をすることがない保温蓋を提供する。【解決手段】保温蓋は蓋本体１０、持ち手部、及び封止突部３０を具える。蓋本体１０は内部空間及び内部空間とつながっている蓋開口部１１を有する。持ち手部は蓋本体１０の上面にしっかりと取付けられ、断熱性素材で作られている。封止突部３０は蓋本体１０の底面に形成され、蓋開口部１１を囲っている。封止突部３０は少なくとも１つの排気口３１を有する。保温蓋は容器に当接し、蒸気５０は少なくとも１つの排気口を通って排出される。少なくとも１つの排気口３１は持ち手部から離れている。仮に、保温蓋の上部に向かって蒸気５０が流れ得るとしても、蒸気５０の熱が失われるので、使用者の手は蒸気５０によって火傷することはなく、火傷の事故が減る。【選択図】図２
0003204192.tif 000002
【実用新案登録請求の範囲】
【請求項１】
蓋本体を具え、該蓋本体が該蓋本体に形成された内部空間と、該内部空間とつながっている蓋開口部を有し、
前記蓋本体の上面にしっかりと取付けられ、断熱性素材で作られた持ち手部を具え、
前記蓋本体の底面に形成され、前記蓋開口部を囲って延びる封止突部を具え、該封止突部が該封止突部を水平方向に通って形成された少なくとも１つの排気口を有することを特徴とする、
保温蓋。
【請求項２】
前記少なくとも1つの排気口の数が２つである、請求項１の保温蓋。
【請求項３】
前記蓋本体が長方形であって、前記蓋本体が、相対する２つの長い底面と相対する２つの短い底面を有し、
前記封止突部の２つの排気口が前記蓋本体の２つの長い底面にそれぞれ水平に形成され、互いに位置合わせされている、請求項２の保温蓋。
【請求項４】
前記蓋本体が長方形であって、前記蓋開口部を囲って形成され、前記蓋本体が、相対する２つの長い底面と相対する２つの短い底面を有し、
前記封止突部の２つの排気口が前記蓋本体の相対する２つの角にそれぞれ水平に形成され、互いに斜めに位置合わせされている、請求項２の保温蓋。
【請求項５】
前記少なくとも1つの排気口の数が４つである、請求項１の保温蓋。
【請求項６】
前記蓋本体が長方形であって、前記蓋開口部を囲って形成され、前記蓋本体が、相対する２つの長い底面と相対する２つの短い底面を有し、
前記４つの排気口が前記蓋本体の４つの角の底面をそれぞれ水平に通って設けられている、請求項５の保温蓋。
【請求項７】
前記蓋本体が長方形であって、前記蓋開口部を囲って形成され、前記蓋本体が、相対する２つの長い底面と相対する２つの短い底面を有する、請求項１の保温蓋。
【請求項８】
前記各排気口が前記封止突部の底面を通って形成されている、請求項１乃至７の保温蓋。
【請求項９】
前記蓋本体の外側の端が前記封止突部から外側に向かって水平に延びている、請求項１乃至８の保温蓋。
【請求項１０】
前記持ち手部が、ねじ及びナットによって前記蓋本体の上面にしっかりと取付けられている固定されたプレートと、前記固定されたプレートに連結されているハンドルを有する、請求項１乃至９の保温蓋。
【考案の詳細な説明】
【技術分野】
【０００１】
本考案は、食べ物を周囲から保護する容器、すなわち、弁当箱用の保温蓋に関する。
【背景技術】
【０００２】
従来の保温蓋は、容器、すなわち、弁当箱に用いられる。調理された食べ物が、容器、すなわち、持ち運び可能な弁当箱に入れられる。調理された食べ物は温かいままだが、食べ物が外気と接触すると、食べ物の温度はすぐに下がり、食べ物の風味が損なわれる。理由としては、保温のために外気との接触から容器、すなわち、弁当箱の中の食べ物を隔離するため、保温蓋が、容器、すなわち、弁当箱を覆うためである。保温蓋は、調理のために使われてもよい。例えば、スープを作るために、容器の中の温度を上げるために保温蓋が容器を覆うことによって、調理時間が短縮される。他の例では、爆発の事故を避けるために、容器の中の圧力のバランスを維持すべく、蒸気排気用の蒸気口が保温蓋に形成される。しかしながら、排気口は保温蓋の上面に配置され、保温蓋の持ち手部分に近い。使用者が保温蓋を取ろうとする時、排気口は使用者には軽視されやすく、使用者は蒸気によって片方の手を火傷する。そのため、従来の技術は改善される必要がある。
【０００３】
前記短所を克服するために、本考案は前記問題を軽減し、又は取除く保温蓋を提供する。
【考案の概要】
【考案が解決しようとする課題】
【０００４】
従来の保温蓋の排気口は軽視されやすく、保温蓋の外の蒸気によって使用者が火傷をすることがあるので、当該理由のため、本考案は火傷の事故を減らすという目的を達成するための保温蓋を提供する。
【課題を解決するための手段】
【０００５】
前述した目的を達成するために、本考案の保温蓋は、蓋本体、持ち手部、及び封止突部を具える。蓋本体は内部空間及び蓋開口部を有する。蓋開口部は内部空間とつながっている。持ち手部は蓋本体の上面にしっかりと取付けられ、断熱性素材で作られている。封止突部は蓋本体の底面に形成され、蓋開口部を囲って延びている。封止突部は封止突部を水平方向に通って形成された少なくとも１つの排気口を有する。
【０００６】
本考案の保温蓋は封止突部で容器に当接し、容器の中の圧力バランスを維持すべく、蒸気は少なくとも１つの排気口を通って排出される。少なくとも１つの排気口は保温蓋の底面に形成され、持ち手部から離れているので、使用者が片手で保温蓋を掴む時、当該使用者の手は少なくとも１つの排気口から離れている。仮に、保温蓋の上部に向かって蒸気が流れ得るとしても、距離が長いので流れる過程において蒸気の熱は失われ、蒸気温は大幅に下がる。使用者の手が蒸気に触れても、使用者の手は蒸気によって火傷することはなく、それ故、火傷の事故の可能性が減る。
【０００７】
本考案の他の目的、利点及び新規な特徴は、添付の図面を参照して以下の詳細な説明によってより明らかとなる。
【図面の簡単な説明】
【０００８】
【図１】図１は容器と組合された本考案の保温蓋の斜視図。
【図２】図２は容器と組合された、図１の保温蓋の断面図。
【図３】図３は本考案の保温蓋の第１実施例の外側斜視図。
【図４】図４は図３の保温蓋の第１実施例の内側斜視図。
【図５】図５は本考案の保温蓋の第２実施例の内側斜視図。
【図６】図６は本考案の保温蓋の第３実施例の内側斜視図。
【考案を実施するための形態】
【０００９】
図１及び２を参照して、保温蓋は容器４０の上に取付けられ、蓋本体１０、持ち手部２０、及び封止突部３０を具える。
【００１０】
蓋本体１０は、内部空間と蓋開口部１１を有する。蓋開口部１１は、蓋本体１０の内部空間とつながっている。図３及び４を参照して、蓋本体１０は長方形で、蓋開口部１１を囲んで形成される。蓋本体１０は、相対する２つの長い底面１２、及び相対する２つの短い底面１３を具える。好適な実施例では、蓋本体１０は、透明な素材で作られることが望ましいが、これに限定されるものではない。他の実施例では、蓋本体は円形でも、又は他の如何なる形であってもよい。
【００１１】
持ち手部２０は蓋本体１０の上面にしっかりと取付けられ、断熱性素材で作られている。持ち手部２０は固定されたプレート２１及びハンドル２２を具える。固定されたプレート２１はねじ及びナットを用いて蓋本体１０の上面にしっかりと取付けられている。ハンドル２２は固定されたプレート２１に連結されていて、蓋本体１０から離れる方向に延びている。他の実施例では、持ち手部２０は円形ブロックであってもよい。
【００１２】
図３及び４を参照して、本考案の第１実施例では、封止突部３０は蓋本体１０の底面に形成され、蓋開口部１１を囲って延びる。封止突部３０には４つの排気口３１が具えられている。４つの排気口３１は蓋本体１０の４つの角の底面をそれぞれ、水平に通って形成され、４つの排気口３１のそれぞれは長い底面１２の一方、且つ短い底面１３の一方に形成される。当該長い底面１２は当該短い底面１３と隣合っている。他の実施例では、４つの排気口３１は２つの長い底面１２と２つの短い底面１３をそれぞれ通って形成されてもよい。
【００１３】
図５を参照して、本考案の第２実施例は封止突部３０Ａを具える。封止突部３０Ａには２つの排気口３１Ａが具えられている。２つの排気口３１Ａは２つの長い底面１２をそれぞれ、水平に通って形成され、互いに位置合わせされている。他の実施例では、２つの排気口３１Aは２つの短い底面１３をそれぞれ通って形成され、互いに位置合わせされている。
【００１４】
図６を参照して、本考案の第３実施例は封止突部３０Ｂを具える。封止突部３０Ｂには２つの排気口３１Ｂが具えられており、２つの排気口３１Ｂは蓋本体の相対する２つの角にそれぞれ形成され、互いに斜めに位置合わせされている。
【００１５】
好適な実施例では、封止突部３０、３０Ａ、３０Ｂは、透明な素材で作られることが望ましいが、これに限定されるものではない。
【００１６】
他の実施例では、蓋本体１０が１つの排気口を有し、蒸気５０は当該排気口を通って排出される。
【００１７】
図１及び２を参照して、本考案の保温蓋は封止突部３０で容器４０に当接し、燻された環境が蓋本体１０と容器４０に間に形成され、容器４０の内部の温度が上昇し、調理が促進される。調理の過程で発生した蒸気５０は容器４０の圧力バランスを維持するためにいくつかの排気口３１を通って排出される。排気口３１の１つ１つは蓋本体１０の底面に形成され、持ち手部２０から離れているので、使用者が片手で保温蓋を掴む時、当該使用者の手は排気口３１から遠く離れている。仮に、保温蓋の上部に向かって蒸気５０が流れ得るとしても、距離が長いので流れる過程において蒸気の熱は失われ、蒸気温は大幅に下がる。使用者の手が蒸気に触れても、使用者の手は蒸気によって火傷することはなく、それ故、火傷の事故の可能性が減る。
【００１８】
図３及び４を参照して、第１実施例において、各排気口３１は蓋本体１０の底面を通って形成される。封止突部３０は互いに間をおいていくつかのブロックに分けられる。他の実施例では、各排気口３１は火傷を避けるための貫通穴である。
【００１９】
他の実施例では、蓋開口部１１を囲む蓋本体１０外側の端は封止突部３０から外側に向かって水平に延びている。蓋本体１０の外側の端によって蒸気は蓋本体１０から離れて斜めに流れるように導かれるので、使用者が蒸気と接触する機会がさらに減る。
【符号の説明】
【００２０】
１０    蓋本体
１１    蓋開口部
１２    長い底面
１３    短い底面
２０    持ち手部
２１    プレート
２２    ハンドル
３０    封止突部
３１    排気口
４０    容器
５０    蒸気
【図１】
0003204192.tif 000003
【図２】
0003204192.tif 000004
【図３】
0003204192.tif 000005
【図４】
0003204192.tif 000006
【図５】
0003204192.tif 000007
【図６】
0003204192.tif 000008